【手続補正書】
【提出日】平成16年3月18日(2004.3.18)
【手続補正１】
【補正対象書類名】明細書
【補正対象項目名】特許請求の範囲
【補正方法】変更
【補正の内容】
【特許請求の範囲】
【請求項１】
遊技盤面上の遊技球に関する情報を、遊技者に報知可能なパチンコ遊技機であって、
前記遊技球の位置を検出する遊技球検出手段と、該遊技球検出手段の検出結果に基づいて遊技球の位置を表現し、遊技者に対して前記遊技球の動きを認識可能とする表現手段とを備え、
前記遊技球検出手段は、前記遊技盤面に所定間隔で複数箇所に設けられ、遊技球を検出する検出センサーを有し、該検出センサーは、各々が独立して遊技球を検出することを特徴とするパチンコ遊技機。
【請求項２】
請求項１記載のパチンコ遊技機において、
前記表現手段は、前記遊技球検出手段の検出結果に基づいて遊技球の位置を凹凸で表現し、遊技者が該凹凸に接触することで前記遊技球の動きを認識可能とする凹凸表現手段であることを特徴とするパチンコ遊技機。
【請求項３】
請求項２記載のパチンコ遊技機において、
前記凹凸表現手段は、前記検出センサーの各々に対応して配置され、前記検出センサーの各々の検出結果に応じて出没する複数のピンを有することを特徴とするパチンコ遊技機。
【請求項４】
請求項１〜３のいずれか記載のパチンコ遊技機において、
前記検出センサーは、周辺の磁界の変化を検出するソレノイドであることを特徴とするパチンコ遊技機。
【請求項５】
請求項１〜３のいずれか記載のパチンコ遊技機において、
前記検出センサーは、入射光量の変化を検出する光検出器であることを特徴とするパチンコ遊技機。
【請求項６】
請求項１〜５のいずれか記載のパチンコ遊技機において、
前記遊技球検出手段の検出範囲は、前記遊技盤面の天釘近傍及び始動入賞口近傍であることを特徴とするパチンコ遊技機。
【請求項７】
遊技盤面上の遊技球に関する情報を、遊技者に報知可能なパチンコ遊技機であって、
前記遊技球の位置を検出する遊技球検出手段と、該遊技球検出手段の検出結果に基づいて遊技球の位置を表現し、遊技者に対して前記遊技球の動きを認識可能とする表現手段とを備え、
前記遊技球検出手段の検出範囲は、前記遊技盤面の天釘近傍及び始動入賞口近傍であることを特徴とするパチンコ遊技機。
【手続補正２】
【補正対象書類名】明細書
【補正対象項目名】０００５
【補正方法】変更
【補正の内容】
【０００５】
【課題を解決するための手段、発明の実施の形態及び発明の効果】
上記の目的を達成するためになされた請求項１記載のパチンコ遊技機は、遊技盤面上の遊技球に関する情報を、遊技者に報知可能なパチンコ遊技機であって、前記遊技球の位置を検出する遊技球検出手段と、該遊技球検出手段の検出結果に基づいて遊技球の位置を表現し、遊技者に対して前記遊技球の動きを認識可能とする表現手段とを備え、前記遊技球検出手段は、前記遊技盤面に所定間隔で複数箇所に設けられ、遊技球を検出する検出センサーを有し、該検出センサーは、各々が独立して遊技球を検出することを特徴とする。


【手続補正３】
【補正対象書類名】明細書
【補正対象項目名】０００６
【補正方法】変更
【補正の内容】
【０００６】
請求項１記載のパチンコ遊技機によれば、遊技球検出手段が、遊技盤面上の遊技球の位置を検出し、表現手段が、この検出結果に基づいて遊技球の位置を遊技者に対して表現する。
従って、遊技盤面を直接目視する必要がないから、遊技者が視覚障害者であっても遊技球の動きを認識することができるという効果を奏する。
更に、遊技盤面に所定間隔で複数箇所に設けられた検出センサーが、各々独立して遊技球を検出するので、複数の遊技球の位置情報を同時に得ることができ、表現手段が検出された遊技球の位置情報に基づき、複数の遊技球の位置を同時に表現することができる。従って、遊技盤面上に遊技球が大量に打ち出され、移動していても、複数の検出センサーにより全ての遊技球の位置情報を同時に得ることができるという効果を奏する。
【手続補正４】
【補正対象書類名】明細書
【補正対象項目名】００１０
【補正方法】変更
【補正の内容】
【００１０】
従って、凹凸表現が視覚障害者にとって馴染みやすいことから、請求項２記載のパチンコ遊技機では、視覚障害者であっても視覚によらずに盤面の遊技球の動きを的確に認識させることができるという効果を奏する。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、凹凸表現手段の凹凸の構成としては、次に挙げる構成にすればよい。


【手続補正８】
【補正対象書類名】明細書
【補正対象項目名】００１４
【補正方法】変更
【補正の内容】
【００１４】
すなわち、請求項３に記載したように、請求項２記載のパチンコ遊技機において、前記凹凸表現手段は、前記検出センサーの各々に対応して配置され、前記検出センサーの各々の検出結果に応じて出没する複数のピンを有することを特徴とする構成にすればよい。


【手続補正９】
【補正対象書類名】明細書
【補正対象項目名】００１５
【補正方法】変更
【補正の内容】
【００１５】
請求項３記載の構成によれば、複数の検出センサーの各々に対応したピンが、検出センサーの検出結果に応じて出没する。
従って、遊技球が複数の検出センサー上を通過するとき、各検出センサーが瞬時に遊技球を検出し、検出結果に応じて凹凸表現手段の複数のピンが出没することにより、その遊技球の動きを連続的に表現することができるという効果を奏する。


【手続補正１０】
【補正対象書類名】明細書
【補正対象項目名】００１６
【補正方法】変更
【補正の内容】
【００１６】
また、請求項１〜３のいずれか記載の検出センサーとしては、次のような構成にすればよい。
すなわち、請求項４に記載したように、請求項１〜３のいずれか記載のパチンコ遊技機において、前記検出センサーは、周辺の磁界の変化を検出するソレノイドであることを特徴とする構成にすればよい。


【手続補正１１】
【補正対象書類名】明細書
【補正対象項目名】００１７
【補正方法】変更
【補正の内容】
【００１７】
請求項４記載の構成によれば、遊技球が、各ソレノイド上を移動すると、金属製の遊技球に電磁誘導作用による渦電流が流れるため、遊技球の通過した場所に位置するソレノイドのインピーダンスが増加する。このソレノイドのインピーダンスの増加などの変化を検出することで、遊技球の位置を検出することができる。


【手続補正１２】
【補正対象書類名】明細書
【補正対象項目名】００１８
【補正方法】変更
【補正の内容】
【００１８】
従って、検出センサーにソレノイドを用いているから、金属製の遊技球以外の異物は検出の対象外にでき、金属製の遊技球のみを高精度に検出できるという効果を奏する。
また、請求項４記載の検出センサー以外にも、次のような検出センサーの構成を挙げることができる。


【手続補正１３】
【補正対象書類名】明細書
【補正対象項目名】００１９
【補正方法】変更
【補正の内容】
【００１９】
すなわち、請求項５に記載したように、請求項１〜３のいずれか記載のパチンコ遊技機において、前記検出センサーは、入射光量の変化を検出する光検出器であることを特徴とする構成としてもよい。
請求項５記載の構成によれば、遊技球が、各光検出器上を移動すると、光検出器への入射光量が減るため、遊技球の通過した場所に位置する光検出器に流れる電流が減る。この光検出器の電流の減少などの変化を検出することで、遊技球の位置を検出することができる。


【手続補正１４】
【補正対象書類名】明細書
【補正対象項目名】００２１
【補正方法】変更
【補正の内容】
【００２１】
また、請求項６に記載したように、請求項１〜５のいずれか記載のパチンコ遊技機において、前記遊技球検出手段の検出範囲は、前記遊技盤面の天釘近傍及び始動入賞口近傍であることを特徴とする構成としてもよい。
請求項６記載の構成によれば、遊技球検出手段の検出範囲を、遊技盤面上の天釘の近傍及び始動入賞口の近傍に限定しているので、遊技球検出手段及び表現手段（または凹凸表現手段）の大きさを小さくすることで、構成を簡素にすることができるにも関わらず、この検出範囲の遊技球の動きが、遊技の展開に多大な影響を及ぼすものなので、パチンコ遊技において、十分な情報を遊技者に提供できるという効果を奏する。
また、請求項７記載のパチンコ遊技機は、遊技盤面上の遊技球に関する情報を、遊技者に報知可能なパチンコ遊技機であって、前記遊技球の位置を検出する遊技球検出手段と、該遊技球検出手段の検出結果に基づいて遊技球の位置を表現し、遊技者に対して前記遊技球の動きを認識可能とする表現手段とを備え、前記遊技球検出手段の検出範囲は、前記遊技盤面の天釘近傍及び始動入賞口近傍であることを特徴とする。
請求項７記載のパチンコ遊技機によれば、遊技球検出手段が、遊技盤面上の遊技球の位置を検出し、表現手段が、この検出結果に基づいて遊技球の位置を遊技者に対して表現する。
従って、遊技盤面を直接目視する必要がないから、遊技者が視覚障害者であっても遊技球の動きを認識することができるという効果を奏する。
更に、遊技球検出手段の検出範囲を、遊技盤面上の天釘の近傍及び始動入賞口の近傍に限定しているので、遊技球検出手段及び表現手段の大きさを小さくすることで、構成を簡素にすることができるにも関わらず、この検出範囲の遊技球の動きが、遊技の展開に多大な影響を及ぼすものなので、パチンコ遊技において、十分な情報を遊技者に提供できるという効果を奏する。